(57)【要約】【課題】固定筒の外周からメカニカルな部材を省略することできるとともに、手探り状態で操作する操作者にとって操作性が良いこと。【解決手段】光学レンズを含む光学部材を保持した固定筒１と、固定筒１の外周部に周回り方向に沿って設けられたタッチセンサ２と、タッチセンサ２の出力信号に基づいてタッチセンサ２に同時にタッチしている指の本数（あるいは、指の種類、指の摺動方向、指のタッチ領域）を検出する指検出手段と、固定筒１に保持されている光学部材を制御する複数の機能を有する光学制御手段と、複数の機能から、同時にタッチしている指の本数（あるいは、指の種類、指の摺動方向、指のタッチ領域）に応じて機能を選択し、その選択した機能を実行させる実行制御手段を備えた。【選択図】  図１
2012215632.tif 000002
【特許請求の範囲】
【請求項１】
光学レンズを含む光学部材を保持した固定筒と、
前記固定筒の外周部に周回り方向に沿って設けられたタッチセンサと、
前記タッチセンサの出力信号に基づいて前記タッチセンサに同時にタッチしている指の本数を検出する指検出手段と、
前記固定筒に保持されている光学部材を制御する複数の機能を有する光学制御手段と、
前記複数の機能のうちから前記指検出手段によって検出された前記同時にタッチしている指の本数に応じた機能を選択し、その選択した機能を前記光学制御手段に実行させる実行制御手段と、
を備えたことを特徴とするレンズ装置。
【請求項２】
前記指検出手段は、前記タッチセンサにタッチしている指の種類も検出し、
前記実行制御手段は、前記指検出手段によって検出された前記タッチしている指の本数及び指の種類に応じて、前記光学制御手段に実行させる機能を選択することを特徴とする請求項１に記載のレンズ装置。
【請求項３】
光学レンズを含む光学部材を保持した固定筒と、
前記固定筒の外周部に周回り方向に沿って設けられたタッチセンサと、
前記タッチセンサにタッチしている指の種類を検出する指検出手段と、
前記固定筒に保持されている光学部材を制御する複数の機能を有する光学制御手段と、
前記複数の機能のうちから前記指検出手段によって検出された前記タッチしている指の種類に応じた機能を選択し、その選択した機能を前記光学制御手段に実行させる実行制御手段と、
を備えたことを特徴とするレンズ装置。
【請求項４】
前記指検出手段は、親指及び親指以外の指が同時に前記タッチセンサにタッチしているとき、親指がタッチしている領域を基準にして、前記タッチセンサにタッチしている親指以外の少なくとも一本の指の種類を特定することを特徴とする請求項２または３に記載のレンズ装置。
【請求項５】
前記指検出手段は、親指及び中指を含む三本以上の指が同時に前記タッチセンサにタッチしているとき、親指及び中指のうち少なくとも一方がタッチしている領域を基準にして、人差し指が前記タッチセンサにタッチしているか否か、及び薬指が前記タッチセンサにタッチしているか否かを検出することを特徴とする請求項２から４のうちいずれか１項に記載のレンズ装置。
【請求項６】
前記指検出手段は、複数の指が同時に前記タッチセンサにタッチしているとき、前記複数の指の間の距離を検出し、
前記光学制御手段は、前記検出された距離に応じて前記光学部材に対する制御を変化させることを特徴とする請求項１から５のうちいずれか１項に記載のレンズ装置。
【請求項７】
光学レンズを含む光学部材を保持した固定筒と、
前記固定筒の外周部に周回り方向に沿って設けられたタッチセンサと、
前記タッチセンサを光軸方向に複数の領域に区切り、前記タッチセンサの出力信号に基づいて前記タッチセンサの複数の領域のうちいずれの領域に指でタッチされたかを検出する指検出手段と、
前記固定筒に保持されている光学部材を制御する複数の機能を有する光学制御手段と、
前記複数の機能のうちから前記指検出手段によって検出された前記タッチされた領域に対応する機能を選択し、その選択した機能を前記光学制御手段に実行させる実行制御手段と、
を備えたことを特徴とするレンズ装置。
【請求項８】
前記複数の光学部材として、少なくともフォーカスレンズ、変倍レンズ及び絞り部材が前記固定筒内に保持されており、
前記実行制御手段は、前記フォーカスレンズを光軸方向に移動させるフォーカス制御機能、前記変倍レンズを光軸方向に移動させる変倍制御機能、及び、前記絞り部材の開口断面積を変化させる絞り制御機能のうちから、ひとつの機能を選択することを特徴とする請求項１から７のうちいずれか１項に記載のレンズ装置。
【請求項９】
光学レンズを含む光学部材を保持した固定筒と、
前記固定筒の外周部に周回り方向に沿って設けられたタッチセンサと、
前記タッチセンサの出力信号に基づいて、前記タッチセンサにタッチした指が摺動したか否か、及び前記指の摺動方向が前記固定筒の周回り方向であるか光軸方向であるか否かを検出する指検出手段と、
前記固定筒に保持されている光学部材を制御する複数の機能を有する光学制御手段と、
前記複数の機能のうちから前記指の摺動方向に対応する機能を選択し、その選択した機能を前記光学制御手段に実行させる実行制御手段と、
を備えたことを特徴とするレンズ装置。
【請求項１０】
前記複数の光学部材として少なくともフォーカスレンズ及び変倍レンズが前記固定筒内に保持されており、
前記実行制御手段は、検出された前記指の摺動方向が前記固定筒の周回り方向である場合には前記フォーカスレンズを光軸方向に移動させるフォーカス処理を実行し、検出された前記指の摺動方向が光軸方向である場合には前記変倍レンズを光軸方向に移動させる変倍処理を行うことを特徴とする請求項９に記載のレンズ装置。
【請求項１１】
前記光学制御手段は、前記複数の指のうち少なくともひとつの指の摺動量に応じて前記光学部材を制御することを特徴とする請求項１から１０のうちいずれか１項に記載のレンズ装置。
【請求項１２】
光学レンズを含む光学部材を保持した固定筒の外周部に、その周回り方向に沿ってタッチセンサを設け、
前記タッチセンサの出力信号に基づいて、前記タッチセンサに同時にタッチしている指の本数を検出し、
前記固定筒に保持されている光学部材を制御する複数の機能のうちから、前記指検出手段によって検出された前記同時にタッチしている指の本数に応じた機能を選択し、その選択した機能を実行することを特徴とする操作制御方法。
【請求項１３】
光学レンズを含む光学部材を保持した固定筒の外周部に、その周回り方向に沿ってタッチセンサを設け、
前記タッチセンサの出力信号に基づいて、前記タッチセンサにタッチしている指の種類を検出し、
前記固定筒に保持されている光学部材を制御する複数の機能のうちから、前記指検出手段によって検出された前記タッチしている指の種類に応じた機能を選択し、その選択した機能を実行することを特徴とする操作制御方法。
【請求項１４】
光学レンズを含む光学部材を保持した固定筒の外周部に、その周回り方向に沿ってタッチセンサを設け、
前記タッチセンサの出力信号に基づいて、前記タッチセンサにタッチした指が摺動したか否か、及び前記指の摺動方向が前記固定筒の周回り方向であるか光軸方向であるか否かを検出し、
前記固定筒に保持されている光学部材を制御する複数の機能のうちから、前記指検出手段によって検出された前記指の摺動方向に対応する機能を選択し、その選択した機能を前記光学制御手段に実行することを特徴とする操作制御方法。
【請求項１５】
光学レンズを含む光学部材を保持した固定筒の外周部に、その周回り方向に沿ってタッチセンサを設け、
前記タッチセンサを光軸方向に複数の領域に区切り、前記タッチセンサの出力信号に基づいて、前記タッチセンサの複数の領域のうちいずれの領域に指でタッチされたかを検出し、
前記固定筒に保持されている光学部材を制御する複数の機能のうちから、前記指検出手段によって検出された前記タッチされた領域に対応する機能を選択し、その選択した機能を前記光学制御手段に実行することを特徴とする操作制御方法。
【発明の詳細な説明】
【技術分野】
【０００１】
本発明は、固定筒の外周からメカニカルな操作部材を省略することができるとともに、手探り状態で操作する操作者にとって操作性が良いレンズ装置及びその操作制御方法に関する。
【背景技術】
【０００２】
従来のレンズ装置では、図１１に示すように、レンズ鏡筒９０の外周に、フォーカス操作を行うためのフォーカスリング９２、ズーム操作を行うためのズームリング９４、アイリス操作を行うためのアイリスリング９６などが設けられていた。即ち、レンズ鏡筒９０の外周に設けられたメカニカルな操作リングを回すことにより、レンズ鏡筒９０内の光学部材（フォーカスレンズ、ズームレンズ、アイリス）を、間接的に操作していた。
【０００３】
レンズ鏡筒の外周にタッチパッドを設け、そのタッチパッドにより指示操作を可能にしたレンズ装置も知られている（特許文献１〜３を参照）。
【先行技術文献】
【特許文献】
【０００４】
【特許文献１】特開２００９−１６９２６６号公報
【特許文献２】特開２０１０−１１７４４４号公報
【特許文献３】特開平１０−１１１４４８号公報
【発明の概要】
【発明が解決しようとする課題】
【０００５】
テレビ放送用カメラの場合、固定筒の外周上に設けられたメカニカルなリングを操作する頻度が高く、そのメカニカルな部分の故障はどうしても生じてしまう。また、操作者はモニタやファインダを介して被写体を注視するため、手探り状態で操作する必要がある。したがって、操作者にとって所謂手探りでも操作し易いことは重要であり、更に操作性が良い新しい操作形態の実現も求められている。一般のカメラでも、テレビ放送用カメラと同様な課題が存在する。
【０００６】
本発明はこのような事情に鑑みてなされたもので、固定筒の外周からメカニカルな操作部材を省略することができるとともに、手探り状態で操作する操作者にとって操作性が良いレンズ装置及びその操作制御方法を提供することを目的とする。
【課題を解決するための手段】
【０００７】
前記目的を達成するために、本発明は、光学レンズを含む光学部材を保持した固定筒と、前記固定筒の外周部に周回り方向に沿って設けられたタッチセンサと、前記タッチセンサの出力信号に基づいて前記タッチセンサに同時にタッチしている指の本数を検出する指検出手段と、前記固定筒に保持されている光学部材を制御する複数の機能を有する光学制御手段と、前記複数の機能のうちから前記指検出手段によって検出された前記同時にタッチしている指の本数に応じた機能を選択し、その選択した機能を前記光学制御手段に実行させる実行制御手段と、を備えたことを特徴とするレンズ装置を提供する。
【０００８】
また、本発明は、光学レンズを含む光学部材を保持した固定筒と、前記固定筒の外周部に周回り方向に沿って設けられたタッチセンサと、前記タッチセンサにタッチしている指の種類を検出する指検出手段と、前記固定筒に保持されている光学部材を制御する複数の機能を有する光学制御手段と、前記複数の機能のうちから前記指検出手段によって検出された前記タッチしている指の種類に応じた機能を選択し、その選択した機能を前記光学制御手段に実行させる実行制御手段と、を備えたことを特徴とするレンズ装置を提供する。
【０００９】
また、本発明は、光学レンズを含む光学部材を保持した固定筒と、前記固定筒の外周部に周回り方向に沿って設けられたタッチセンサと、前記タッチセンサの出力信号に基づいて、前記タッチセンサにタッチした指が摺動したか否か、及び前記指の摺動方向が前記固定筒の周回り方向であるか光軸方向であるか否かを検出する指検出手段と、前記固定筒に保持されている光学部材を制御する複数の機能を有する光学制御手段と、前記複数の機能のうちから前記指の摺動方向に対応する機能を選択し、その選択した機能を前記光学制御手段に実行させる実行制御手段と、を備えたことを特徴とするレンズ装置を提供する。
【００１０】
また、本発明は、光学レンズを含む光学部材を保持した固定筒と、前記固定筒の外周部に周回り方向に沿って設けられたタッチセンサと、前記タッチセンサを光軸方向に複数の領域に区切り、前記タッチセンサの出力信号に基づいて前記タッチセンサの複数の領域のうちいずれの領域に指でタッチされたかを検出する指検出手段と、前記固定筒に保持されている光学部材を制御する複数の機能を有する光学制御手段と、前記複数の機能のうちから前記指検出手段によって検出された前記タッチされた領域に対応する機能を選択し、その選択した機能を前記光学制御手段に実行させる実行制御手段と、を備えたことを特徴とするレンズ装置を提供する。
【００１１】
また、本発明は、光学レンズを含む光学部材を保持した固定筒の外周部に、その周回り方向に沿ってタッチセンサを設け、前記タッチセンサの出力信号に基づいて、前記タッチセンサに同時にタッチしている指の本数を検出し、前記固定筒に保持されている光学部材を制御する複数の機能のうちから、前記指検出手段によって検出された前記同時にタッチしている指の本数に応じた機能を選択し、その選択した機能を実行することを特徴とする操作制御方法を提供する。
【００１２】
また、本発明は、光学レンズを含む光学部材を保持した固定筒の外周部に、その周回り方向に沿ってタッチセンサを設け、前記タッチセンサの出力信号に基づいて、前記タッチセンサにタッチしている指の種類を検出し、前記固定筒に保持されている光学部材を制御する複数の機能のうちから、前記指検出手段によって検出された前記タッチしている指の種類に応じた機能を選択し、その選択した機能を実行することを特徴とする操作制御方法を提供する。
【００１３】
また、本発明は、光学レンズを含む光学部材を保持した固定筒の外周部に、その周回り方向に沿ってタッチセンサを設け、前記タッチセンサの出力信号に基づいて、前記タッチセンサにタッチした指が摺動したか否か、及び前記指の摺動方向が前記固定筒の周回り方向であるか光軸方向であるか否かを検出し、前記固定筒に保持されている光学部材を制御する複数の機能のうちから、前記指検出手段によって検出された前記指の摺動方向に対応する機能を選択し、その選択した機能を前記光学制御手段に実行することを特徴とする操作制御方法を提供する。
【発明の効果】
【００１４】
本発明によれば、固定筒の外周からメカニカルな操作部材を省略することができるとともに、手探り状態で操作する操作者にとって操作性が向上する。
【図面の簡単な説明】
【００１５】
【図１】本発明に係るレンズ装置の一例を示す側面図
【図２】図１に示したレンズ装置を装着した撮影装置の一例を示すブロック図
【図３】環状のタッチセンサにおける指のタッチ領域の例を示すタッチセンサの展開図
【図４】第１実施例における制御処理の流れを示すフローチャート
【図５】第１実施例における制御処理の説明に用いるタッチセンサの展開図
【図６】第２実施例における制御処理の流れを示すフローチャート
【図７】第２実施例における制御処理の説明に用いるタッチセンサの展開図
【図８】第３実施例における制御処理の流れを示すフローチャート
【図９】第３実施例における制御処理の説明に用いるタッチセンサの展開図
【図１０】タッチセンサを複数の領域に区画した場合のレンズ装置の一例を示す側面図
【図１１】従来のレンズ装置の一例を示す側面図
【発明を実施するための形態】
【００１６】
以下、添付図面に従って、本発明の実施形態について、詳細に説明する。
【００１７】
図１は、本発明に係るレンズ装置の一例を示す側面図である。図１のレンズ装置１００は、固定筒１（「鏡胴」ともいう）の外周部に、光軸Ｏを中心とした周回り方向に沿ってタッチセンサ２が配置されている。本例のタッチセンサ２は、環状であって、固定筒１の外周部の周回り方向にエンドレスにして設けられており、光軸Ｏを中心とした固定筒１の周回り方向における指の任意の摺動を検知することが可能である。
【００１８】
図２は、図１に示したレンズ装置１００を撮影部２００に装着して構成された撮影装置の一例を示すブロック図である。なお、図２にて図１に記載した構成要素には同じ符号を付してあり、既に説明した内容はその説明を省略する。
【００１９】
図２において、本例のレンズ装置１００では、被写体側（前側）から順に、ズーム（変倍）レンズ３２、アイリス４０（絞り）、マスターレンズ３４、フォーカスレンズ３６が配置されている。これらの光学部材は図１の固定筒１内に保持されている。本例のレンズ装置１００は、リアフォーカス式であるが、本発明にて光学部材の光軸Ｏ上での順序は特に限定されない。
【００２０】
また、レンズ装置１００は、タッチセンサ２を電気的に駆動するドライバ１０２と、ズームレンズ３２、フォーカスレンズ３６をそれぞれ光軸Ｏ方向に移動させる駆動を行なうドライバ１１２Ｚ、１１２Ｆと、アイリス４０を開閉させる駆動を行なうドライバ１１２Ｓと、Ａ／Ｄ変換器１１３と、オートフォーカスのための処理を実行するＡＦユニット１１５と、撮影部２００とシステム内の通信を行なうためのＳＣインタフェース１１６と、他の外部装置と通信するための外部インタフェース１１７と、レンズ装置１００の各部を統括して制御するＣＰＵ１１８と、記憶部１１９とを含んで構成されている。
【００２１】
タッチセンサ２は、ドライバ１０２を介したＣＰＵ１１８の指令により、固定筒１の外周にて、任意の指のタッチ及び摺動を検知する。ズームレンズ３２及びフォーカスレンズ３６は、それぞれドライバ１１２Ｚ、１１２Ｆを介したＣＰＵ１１８の指令により、光軸Ｏ方向に自在に移動する。また、アイリス４０は、ドライバ１１２Ｓを介したＣＰＵ１１８の指令により、光軸Ｏに沿った光路上の開口断面積を自在に変更する。タッチセンサ２用のドライバ１０２は、公知のものを用いればよく、詳細な説明を省略する。
【００２２】
レンズ装置１００のＣＰＵ１１８は、オートフォーカス時には、ＡＦユニット１１５と連携し、フォーカスレンズ３６を光軸Ｏ方向に移動させながらＡＦユニット１１５によってコントラストＡＦ方式のＡＦサーチを行い、そのＡＦ結果に基づいてフォーカスレンズ３６を被写体に合焦するレンズ位置に移動させる。
【００２３】
撮影部２００は、図２に示すように、レンズ装置１００により結像された被写体像を撮像する撮像素子２２１と、撮像素子２２１から出力された映像信号に対して画像処理を行う映像信号処理回路２２２と、レンズ装置１とシステム内の通信を行なうためのＳＣインタフェース２２３と、撮像素子２２１により得られた撮像画像を表示する電子ビューファインダ２２４と、撮像素子２２１により得られた撮像画像を記録媒体２２５に記録する記録媒体インタフェース２２６と、操作者から操作を受け付ける操作部２２７と、撮影部２００の各部を統括して制御するＣＰＵ２２９を含んで構成されている。
【００２４】
次に、本発明における指検出の原理について、図３を用いて説明する。
【００２５】
図３は、環状のタッチセンサ２における指のタッチ領域の例を示すタッチセンサ２の展開図である。図３において、上側が光軸Ｏ方向の前側（被写体側）、下側が光軸Ｏ方向の後側（撮像素子側）、右側が周回り方向の時計回り側、左側が周回り方向の反時計回り側である。図１に示したタッチセンサ２は固定筒１の外周に環状にして設けられているが、図３に示したようにタッチセンサ２を平面に展開して観ると、指のタッチ位置を二次元平面上の（ｘ、ｙ）座標で表すことができる。つまり、タッチセンサ２に指がタッチすると、図３に示した展開図における（ｘ、ｙ）座標でタッチ位置を示す信号をタッチセンサ２から出力させる。もっとも本発明においてタッチ位置の座標系は図３のようなｘｙ座標系（平面座標系）には限定されない。例えば角度座標を用いてもよいが、本発明の容易な理解のため、以下では図３のようなｘｙ座標系を用いる場合を例に説明する。
【００２６】
図３では、環状のタッチセンサ２が設けられた固定筒１を、左手で「Ｃ」字を描くように把持した場合における、親指（第１指）、人差し指（第２指）、中指（第３指）、及び薬指（第４指）のタッチ領域２０１〜２０４を示した。
【００２７】
親指のタッチ領域２０１は、他の指のタッチ領域２０２〜２０４とは、位置、形状及びサイズが大きく異なるので、レンズ装置１００のＣＰＵ１１８は、タッチセンサ２の出力信号に基づいて、親指がタッチしているか否かを判定する。具体的には、親指のタッチ領域２０１は、周回り方向（ｘ方向）の位置が他の指のタッチ領域２０２〜２０４とは異なる（ｘ座標が小さい）。また、図３ではタッチ領域２０１〜２０４を模式的に略同じ形状で描いてあるが、実際には、指の関節数、太さ、長さ等の違いにより、タッチ領域の形状には違いがあり、サイズにも違いがある。レンズ装置１００のＣＰＵ１１８は、タッチ領域の位置、形状及びサイズの少なくともひとつに基づいて、親指がタッチしているか否かを検出する。
【００２８】
また、従来、レンズ装置では、固定筒１の外周に設けられた環状部材（リング）を周回り方向に回動操作させることが一般的であることから、その回動操作によく似た周回り方向の摺動操作をタッチセンサ２で受け付けるようにすることが、好ましい。例えば、親指と中指とを対向させるようにして周回り方向の摺動をした場合、図３に示すように、中指のタッチ領域２０３は、他の指のタッチ領域２０２、２０４よりも光軸Ｏ方向（ｙ方向）の位置が親指のタッチ領域２０１に近くなる。もっとも親指に対向させる指を中指に限定させる必要はないが、頻繁に行なわれる操作（例えばフォーカス操作）を親指と中指（又は人差し指）とで摺動する操作に割り当てておき、且つ、レンズ装置１００のＣＰＵ１１８で親指のタッチ領域と他のタッチ領域とを位置、形状及びサイズの少なくともひとつで比較することで、親指以外のタッチされた指（第２指〜第４指）を判別する。即ち、ＣＰＵ１１８は、親指のタッチ領域２０１を基準にして、タッチセンサ２にタッチしている親指以外の少なくとも一本の指の種類（本例では中指）を特定する。
【００２９】
また、人差し指のタッチ領域２０２、薬指のタッチ領域２０４は、光軸Ｏ方向（ｙ方向）の位置が上下異なるので、レンズ装置１００のＣＰＵ１１８は、中指のタッチ領域２０３（または親指のタッチ領域２０１）を基準として、タッチ領域の光軸Ｏ方向（ｙ方向）の位置により、人差し指のタッチの有無、及び薬指のタッチの有無を検出する。即ち、ＣＰＵ１１８は、親指及び中指を含む三本以上の指が同時にタッチセンサ２にタッチしているとき、中指のタッチ領域２０３（または親指のタッチ領域２０１）を基準にして、人差し指がタッチセンサ２にタッチしているか否か、及び薬指がタッチセンサ２にタッチしているか否かを検出する。なお、図３では小指のタッチを無視したが、小指のタッチ検出も可能である。
【００３０】
更に、タッチセンサ２の出力信号に基づいて、指が周回り方向ｘ及び光軸Ｏ方向ｙのうちで何れの方向に摺動しているかを検出可能である。
【００３１】
本例のレンズ装置１００のＣＰＵ１１８は、指検出手段として、以下の指検出１〜７を行なう。
【００３２】
＜指検出１＞  タッチしている指の本数を検出する。
【００３３】
＜指検出２＞  タッチしている指の種類（第１指〜第５指）を検出する。
【００３４】
＜指検出３＞  周回り方向及び光軸方向における指の摺動の有無を検出する。
【００３５】
＜指検出４＞  周回り方向における摺動である場合、時計回りの摺動であるか反時計回りの摺動であるかを判別する。
【００３６】
＜指検出５＞  光軸方向における摺動である場合、前側（被写体側）への摺動であるか後側への摺動であるかを判別する。
【００３７】
＜指検出６＞  指の摺動量を検出する。
【００３８】
＜指検出７＞  タッチしている複数の指の間の距離を検出する。
【００３９】
以下では、レンズ装置１００のＣＰＵ１１８による各種の実行制御例を紹介する。
【００４０】
まず、第１実施例について説明する。第１実施例では、同時にタッチしている指の本数に応じて、ＣＰＵ１１８により実行する光学制御機能を選択する。
【００４１】
例えば、２本のタッチを検出した場合にはフォーカス制御機能、３本のタッチを検出した場合にはズーム（変倍）制御機能、４本のタッチを検出した場合にはアイリス（絞り）制御機能を、それぞれ選択する。
【００４２】
図４は、第１実施例の制御処理の流れを示すフローチャートである。本処理は、レンズ装置１００のＣＰＵ１１８によって、プログラムに従い実行される。
【００４３】
まず、指検出処理を行なう（ステップＳ１０２）。第１実施例では、少なくとも前述の＜指検出１＞、＜指検出３＞、＜指検出４＞及び＜指検出６＞が行なわれる。
【００４４】
続いて、複数の指で同時にタッチしているか否かを判定し（Ｓ１０４）、Ｎｏの場合（タッチしていない場合又は１本でタッチしている場合）、ステップＳ１０２に戻る。
【００４５】
複数の指の同時タッチが検出された場合、タッチしている指の本数を判定する（ステップＳ１０６、Ｓ１１０、Ｓ１１４）。
【００４６】
本例では、図５（Ａ）に示すように、親指のタッチ及び周回り方向ｘの摺動２１１と、中指のタッチ及び周回り方向の摺動２１３とが、同時に検出された場合（ステップＳ１０６でＹｅｓ）、フォーカス制御処理を実行する（Ｓ１０８）。即ち、フォーカスレンズ３６を光軸Ｏ方向で移動させる。
【００４７】
また、図５（Ｂ）に示すように、親指のタッチ及び周回り方向ｘの摺動２１１と、中指のタッチ及び周回り方向ｘの摺動２１３と、薬指のタッチ及び周回り方向ｘの摺動２１４とが、同時に検出された場合（ステップＳ１１０でＹｅｓ）、ズーム（変倍）制御処理を実行する（Ｓ１１２）。即ち、ズームレンズ３２を光軸Ｏ方向で移動させる。
【００４８】
本例では、図５（Ｃ）に示すように、親指のタッチ及び周回り方向ｘの摺動２１１と、中指のタッチ及び周回り方向ｘの摺動２１３と、薬指のタッチ及び周回り方向ｘの摺動２１４と、人差し指のタッチ及び周回り方向の摺動２１２とが、同時に検出された場合（ステップＳ１１４でＹｅｓ）、アイリス（絞り）制御処理を実行する（Ｓ１１６）。即ち、アイリス４０の開閉量を調節する。
【００４９】
なお、フォーカス制御、ズーム制御及びアイリス制御における制御の方向（フォーカスレンズ及びズームレンズの光軸Ｏ方向における前／後方向、アイリスの開／閉）は、検出された指の摺動方向（時計回り方向であるか反時計回り方向であるか）に応じて、決められる。また、フォーカス制御、ズーム制御及びアイリス制御における制御量（フォーカスレンズ及びズームレンズの移動量、アイリスの開閉量）は、検出された指の摺動量に応じて、決められる。
【００５０】
次に、第２実施例について説明する。第２実施例では、同時にタッチしている指の本数と、タッチしている指の種類とに応じて、ＣＰＵ１１８により実行する光学制御機能を選択する。
【００５１】
例えば、親指及び中指のタッチ（２本タッチ）であればフォーカス制御機能、更に薬指をタッチした場合（３本タッチ）であればテレ（望遠）側へ変倍する変倍制御機能、更に人差し指をタッチした場合（４本タッチ）であればワイド（広角）側へ変倍するズーム（変倍）制御機能を、それぞれ選択する。
【００５２】
図６は、第２実施例の制御処理の流れを示すフローチャートである。本処理は、レンズ装置１００のＣＰＵ１１８によって、プログラムに従い実行される。
【００５３】
まず、指検出処理を行なう（ステップ２０２）。第２実施例では、少なくとも前述の＜指検出１＞、＜指検出２＞、＜指検出３＞、＜指検出４＞及び＜指検出６＞が行なわれる。
【００５４】
続いて、複数の指で同時にタッチしているか否かを判定し（Ｓ２０４）、Ｙｅｓである場合にはステップＳ２０６に進み、Ｎｏである場合にはステップＳ２０２に戻る。
【００５５】
複数の指の同時タッチが検出された場合、まず、図７（Ａ）に示すように親指と中指とでタッチ及び周回り方向の摺動２１１、２１３があったか否かを判定する（ステップＳ２０６）。Ｙｅｓである場合にはフォーカス制御機能を実行し（ステップＳ２０８）、Ｎｏである場合には図７（Ｂ）に示すように親指、中指及び薬指の同時タッチ２１１、２１３、２２４があったか否かを判定する（ステップＳ２１０）。Ｙｅｓである場合にはテレ側へのズーム機能を実行し（ステップＳ２１２）、Ｎｏである場合には図７（Ｃ）に示すように親指、人差し指、中指及び薬指の同時タッチ２１１、２２２、２１３、２２４があったか否かを判定し（ステップＳ２１４）、Ｙｅｓである場合にはワイド側へのズーム機能を実行する（ステップＳ２１６）。
【００５６】
なお、フォーカス制御における制御の方向（光軸Ｏ方向における前／後方向）は、検出された指の摺動方向（時計回り方向であるか反時計回り方向であるか）に応じて、決められる。また、フォーカス制御及びズーム制御における制御量（フォーカスレンズ及びズームレンズの移動量）は、検出された指の摺動量に応じて、決められる。
【００５７】
また、検出された光軸方向における複数の指の間の距離に応じて、光学部材に対する制御を変化させるようにしてもよい。例えば、図３に示した中指と人差し指との間の距離ｄ３２又は中指と薬指との間の距離ｄ３４に応じて、ズームスピードが変わるようにＣＰＵ１１８で制御してもよい。
【００５８】
また、図６及び図７では、アイリス４０の制御を省略して説明したが、アイリス４０に関する実行制御を追加してもよい。例えば、小指のタッチを検知して、小指のタッチが有った場合にはアイリス４０の開閉を行なう。
【００５９】
次に、第３実施例について説明する。第３実施例では、指の摺動方向が周回り方向であるか光軸方向であるかに応じて、ＣＰＵ１１８により実行する光学制御機能を選択する。
【００６０】
例えば、周回り方向の摺動であればフォーカス制御機能、光軸方向の摺動であればズーム（変倍）制御機能を、それぞれ選択する。
【００６１】
図８は、第３実施例の制御処理の流れを示すフローチャートである。本処理は、レンズ装置１００のＣＰＵ１１８によって、プログラムに従い実行される。
【００６２】
まず、指検出処理を行なう（ステップ３０２）。第３実施例では、少なくとも前述の＜指検出３＞〜＜指検出６＞が行なわれる。
【００６３】
続いて、複数の指で同時にタッチしているか否かを判定し（Ｓ３０４）、Ｎｏである場合、ステップＳ３０２に戻る。
【００６４】
複数の指の同時タッチが検出された場合、図９（Ａ）に示すような周回り方向ｘの摺動であるか否かを判定し（ステップＳ３０６）、Ｙｅｓである場合にはフォーカス制御機能を選択する（ステップＳ３０８）。
【００６５】
また、図９（Ｂ）に示すような光軸方向ｙにおける摺動であって、前側への摺動であるか否かを判定し（ステップＳ３１０）、Ｙｅｓである場合には、テレ側へのズーム機能を選択する（ステップＳ３１２）。
【００６６】
また、図９（Ｂ）に示すような光軸方向ｙにおける摺動であって、後側への摺動であるか否かを判定し（ステップＳ３１４）、Ｙｅｓである場合には、ワイド側へのズーム機能を選択する（ステップＳ３１６）。
【００６７】
なお、フォーカス制御における制御の方向（光軸Ｏ方向における前／後方向）は、検出された指の摺動方向（時計回り方向であるか反時計回り方向であるか）に応じて、決められる。また、フォーカス制御及びズーム制御における制御量（フォーカスレンズ及びズームレンズの移動量）は、検出された指の摺動量に応じて、決められる。
【００６８】
第４実施例として、図１０に示すように、タッチセンサ２を光軸Ｏ方向にて複数の操作領域に区切り、複数の操作領域のうちいずれの操作領域に指でタッチされたかを検出して、タッチされた操作領域に対応する機能を選択するようにしてもよい。
【００６９】
図１０に示す例では、タッチセンサ２を、光軸Ｏ方向の前側（被写体側）から、フォーカス操作領域２ａ、ズーム操作領域２ｂ、アイリス操作領域２ｃに区分している。即ち、ＣＰＵ１１８は、フォーカス操作領域２ａへのタッチが検出された場合にはフォーカス制御機能を選択し、ズーム操作領域２ｂへのタッチが検出された場合にはズーム制御機能を選択し、アイリス操作領域２ｃへのタッチが検出された場合にはアイリス制御機能を選択する。親指が常にタッチされることを考慮して、親指のタッチを除外して機能選択を行なってもよい。
【００７０】
以上、第１実施例〜第４実施例を説明したが、これらの実施例には特に限定されない。
【００７１】
レンズ装置１００のＣＰＵ１１８に、以下の各種の制御１〜８の可能な任意の組み合わせを行なわせるようにしてもよい。
【００７２】
＜制御１＞  タッチセンサに同時にタッチしている指の本数に応じて、機能を選択する。
【００７３】
＜制御２＞  タッチセンサにタッチしている指の種類（第１指〜第５指）に応じて、機能を選択する。
【００７４】
＜制御３＞  タッチセンサ上でタッチして摺動した指の摺動方向に応じて、機能を選択する。具体的には、指の摺動方向が周回り方向であるか光軸方向（前後方向）であるかによる選択、指の摺動方向が周回り方向である場合にその摺動方向が時計回り方向に摺動したか反時計回り方向に摺動したかによる選択、及び、指の摺動方向が光軸方向である場合にその摺動方向が前側（被写体側）に摺動したか後側に摺動したかによる選択が挙げられる。
【００７５】
＜制御４＞  タッチセンサのうちタッチされた領域に応じて機能を選択する。
【００７６】
＜制御５＞  指の摺動量に応じた制御量で制御を行う。
【００７７】
＜制御６＞  同時にタッチした複数の指の間の距離に応じて制御を変更する。
【００７８】
＜制御７＞  連続タッチ回数に応じて機能の選択（または制御の変更）を行なう。
【００７９】
＜制御８＞  指で摺動した軌跡の形状に応じて機能の選択（または制御の変更）を行なう。
【００８０】
以上、タッチセンサ２を固定筒１の全外周に環状にエンドレスにして設けた場合を例に説明したが、本発明は、タッチセンサ２を固定筒１の全外周のうちの一部（例えば半環状）に設けた場合にも適用可能である。「半環状」とは、固定筒の外周を周回り方向に半分（角度にして１８０度）以上覆っていることをいう。
【００８１】
また、タッチセンサ２へのタッチ操作でフォーカス制御、ズーム制御及び絞り制御を行う場合を例に説明したが、他の機能もタッチセンサ２に割り当ててよい。
【００８２】
本発明は、本明細書において説明した例や図面に図示された例には限定されず、本発明の要旨を逸脱しない範囲において、各種の設計変更や改良を行ってよいのはもちろんである。
【００８３】
本明細書には、少なくとも以下の発明が開示されている。
【００８４】
発明１：光学レンズを含む光学部材を保持した固定筒と、前記固定筒の外周部に周回り方向に沿って設けられたタッチセンサと、前記タッチセンサの出力信号に基づいて前記タッチセンサに同時にタッチしている指の本数を検出する指検出手段と、前記固定筒に保持されている光学部材を制御する複数の機能を有する光学制御手段と、前記複数の機能のうちから前記指検出手段によって検出された前記同時にタッチしている指の本数に応じた機能を選択し、その選択した機能を前記光学制御手段に実行させる実行制御手段と、を備えたことを特徴とするレンズ装置。
【００８５】
発明２：前記指検出手段は、前記タッチセンサにタッチしている指の種類も検出し、前記実行制御手段は、前記指検出手段によって検出された前記タッチしている指の本数及び指の種類に応じて、前記光学制御手段に実行させる機能を選択することを特徴とする発明１に記載のレンズ装置。
【００８６】
発明３：光学レンズを含む光学部材を保持した固定筒と、前記固定筒の外周部に周回り方向に沿って設けられたタッチセンサと、前記タッチセンサにタッチしている指の種類を検出する指検出手段と、前記固定筒に保持されている光学部材を制御する複数の機能を有する光学制御手段と、前記複数の機能のうちから前記指検出手段によって検出された前記タッチしている指の種類に応じた機能を選択し、その選択した機能を前記光学制御手段に実行させる実行制御手段と、を備えたことを特徴とするレンズ装置。
【００８７】
発明４：前記指検出手段は、親指及び親指以外の指が同時に前記タッチセンサにタッチしているとき、親指がタッチしている領域を基準にして、前記タッチセンサにタッチしている親指以外の少なくとも一本の指の種類を特定することを特徴とする発明２または３に記載のレンズ装置。
【００８８】
発明５：前記指検出手段は、親指及び中指を含む三本以上の指が同時に前記タッチセンサにタッチしているとき、親指及び中指のうち少なくとも一方がタッチしている領域を基準にして、人差し指が前記タッチセンサにタッチしているか否か、及び薬指が前記タッチセンサにタッチしているか否かを検出することを特徴とする発明２から４のうちいずれかひとつに記載のレンズ装置。
【００８９】
発明６：前記指検出手段は、複数の指が同時に前記タッチセンサにタッチしているとき、前記複数の指の間の距離を検出し、前記光学制御手段は、前記検出された距離に応じて前記光学部材に対する制御を変化させることを特徴とする発明１から５のうちいずれかひとつに記載のレンズ装置。
【００９０】
発明７：光学レンズを含む光学部材を保持した固定筒と、前記固定筒の外周部に周回り方向に沿って設けられたタッチセンサと、前記タッチセンサを光軸方向に複数の領域に区切り、前記タッチセンサの出力信号に基づいて前記タッチセンサの複数の領域のうちいずれの領域に指でタッチされたかを検出する指検出手段と、前記固定筒に保持されている光学部材を制御する複数の機能を有する光学制御手段と、前記複数の機能のうちから前記指検出手段によって検出された前記タッチされた領域に対応する機能を選択し、その選択した機能を前記光学制御手段に実行させる実行制御手段と、を備えたことを特徴とするレンズ装置。
【００９１】
発明８：前記複数の光学部材として、少なくともフォーカスレンズ、変倍レンズ及び絞り部材が前記固定筒内に保持されており、前記実行制御手段は、前記フォーカスレンズを光軸方向に移動させるフォーカス制御機能、前記変倍レンズを光軸方向に移動させる変倍制御機能、及び、前記絞り部材の開口断面積を変化させる絞り制御機能のうちから、ひとつの機能を選択することを特徴とする発明１から７のうちいずれかひとつに記載のレンズ装置。
【００９２】
発明９：光学レンズを含む光学部材を保持した固定筒と、前記固定筒の外周部に周回り方向に沿って設けられたタッチセンサと、前記タッチセンサの出力信号に基づいて、前記タッチセンサにタッチした指が摺動したか否か、及び前記指の摺動方向が前記固定筒の周回り方向であるか光軸方向であるか否かを検出する指検出手段と、前記固定筒に保持されている光学部材を制御する複数の機能を有する光学制御手段と、前記複数の機能のうちから前記指の摺動方向に対応する機能を選択し、その選択した機能を前記光学制御手段に実行させる実行制御手段と、を備えたことを特徴とするレンズ装置。
【００９３】
発明１０：前記複数の光学部材として少なくともフォーカスレンズ及び変倍レンズが前記固定筒内に保持されており、前記実行制御手段は、検出された前記指の摺動方向が前記固定筒の周回り方向である場合には前記フォーカスレンズを光軸方向に移動させるフォーカス処理を実行し、検出された前記指の摺動方向が光軸方向である場合には前記変倍レンズを光軸方向に移動させる変倍処理を行うことを特徴とする発明９に記載のレンズ装置。
【００９４】
発明１１：前記光学制御手段は、前記複数の指のうち少なくともひとつの指の摺動量に応じて前記光学部材を制御することを特徴とする発明１から１０のうちいずれかひとつに記載のレンズ装置。
【００９５】
発明１２〜２２：発明１〜発明１１にそれぞれ対応する方法発明。
【符号の説明】
【００９６】
１:固定筒（レンズ鏡筒）、２：タッチセンサ、３２：ズームレンズ、３６：フォーカスレンズ、４０：アイリス、１００：レンズ装置、１１５：ＡＦユニット、１１８：レンズ装置のＣＰＵ、２００：撮影部、２０１，２１１，２３１:親指のタッチ領域、２０２、２１２、２２２：人差し指のタッチ領域、２０３，２１３、２３３：中指のタッチ領域、２０４、２１４、２２４：薬指のタッチ領域
【図１】
2012215632.tif 000003
【図２】
2012215632.tif 000004
【図３】
2012215632.tif 000005
【図４】
2012215632.tif 000006
【図５】
2012215632.tif 000007
【図６】
2012215632.tif 000008
【図７】
2012215632.tif 000009
【図８】
2012215632.tif 000010
【図９】
2012215632.tif 000011
【図１０】
2012215632.tif 000012
【図１１】
2012215632.tif 000013